(57)【要約】      （修正有）【課題】一定厚みで粘着材を被対象物に塗布する塗布具を提供する。【解決手段】本体１０１と、本体１０１に出し入れ可能に保持された粘着材１０７と、本体１０１の誘導部１０５と組み合わせられるガイドと、を有する塗布具であり、ガイドは、本体１０１と組み合うガイド先端部１１０と、被対象物１２０へ接触されるガイド下部１０２と、ガイド先端部１１０とガイド下部１０２とを連結し、伸縮するガイド中継部１０３とからなり、ガイド先端部１１０と誘導部１０５との位置関係で、ガイド下部１０２と本体１０１との距離が変化する塗布具を用いる。【選択図】図１
2014188674.tif 000002
【特許請求の範囲】
【請求項１】
本体と、前記本体に出し入れ可能に保持された粘着材と、前記本体の誘導部と組み合わせられるガイドと、を有する塗布具であり、前記ガイドは、前記本体と組み合うガイド先端部と、被対象物へ接触されるガイド下部と、前記ガイド先端部と前記ガイド下部とを連結し、伸縮するガイド中継部とからなり、前記ガイド先端部と前記誘導部との位置関係で、前記ガイド下部と前記本体との距離が変化する塗布具。
【請求項２】
前記ガイド先端部は、前記本体に設けられた前記保持部に沿って移動できる請求項１記載の塗布具。
【請求項３】
前記ガイド先端部は、前記ガイド中継部から曲がり、前記ガイド先端部が、前記誘導部と組み合わされる請求項１または２記載の塗布具。
【請求項４】
前記ガイド中継部は、複数あり、複数の前記ガイド中継部は、前記ガイド先端部と前記ガイド下部との間で前記粘着材を中心に均等に設けられている請求項１から３のいずれか１項に記載の塗布具。
【請求項５】
前記ガイド中継部は、複数の棒状であり、その下部が前記ガイド下部と繋がり、その上部が前記ガイド先端部と繋がる請求項１から４のいずれか１項に記載の塗布具。
【請求項６】
前記ガイド中継部は、シート状であり、その下部が前記ガイド下部と繋がり、その上部が前記ガイド先端部と繋がる請求項１から４のいずれか１項に記載の塗布具。
【請求項７】
前記ガイド中継部は、Ｖ字形状であり、その下部が前記ガイド下部と繋がり、その上部が前記ガイド先端部と繋がる請求項１から５のいずれか１項に記載の塗布具。
【請求項８】
前記ガイド中継部は、Ｓ字形状であり、その下部が前記ガイド下部と繋がり、その上部が前記ガイド先端部と繋がる請求項１から５のいずれか１項に記載の塗布具。
【請求項９】
前記ガイド中継部は、ジグザク形状であり、その下部が前記ガイド下部と繋がり、その上部が前記ガイド先端部と繋がる請求項１から５のいずれか１項に記載の塗布具。
【請求項１０】
前記ガイド下部は、リング状である請求項１から９のいずれか１項に記載の塗布具。
【請求項１１】
前記ガイド下部は、棒状体である請求項１から９のいずれか１項に記載の塗布具。
【請求項１２】
前記ガイド下部の底面には、１つの凹部がある請求項１から１１のいずれか１項に記載の塗布具。
【請求項１３】
前記ガイド下部の底面には、凹凸がある請求項１から１１のいずれか１項に記載の塗布具。
【請求項１４】
塗布具に付属するガイド部品であって、ガイド先端部と、被対象物へ接触されるガイド下部と、前記ガイド先端部と前記ガイド下部とを連結し、伸縮するガイド中継と、前記ガイド先端部と組み合う誘導部と、を有するガイド部品。
【発明の詳細な説明】
【技術分野】
【０００１】
本発明は、塗布具に関するものに関する。
【背景技術】
【０００２】
従来、粘着材を被対象物につける塗布具として、ステイック状ののり塗布具があった（特許文献１）。図６（ａ）で、従来の固形のりの塗布具の斜視図を示す。本体１０１と粘着材１０７とからなる。本体１０１は、固形の粘着材１０７を収納している。使用時に本体１０１から、粘着材１０７を押し出し、粘着材１０７を被対象物に付ける時に、本体１０１を人が、対象物へ押しつけながらすべらす。
【先行技術文献】
【特許文献】
【０００３】
【特許文献１】特開２００２−８６９８８号公報
【発明の概要】
【発明が解決しようとする課題】
【０００４】
ここで、従来の塗布具での粘着材１０７の対象物へ塗布の結果を、図６（ｂ）に示す。図６（ｂ）は断面図である。この塗布具を用いて、被対象物１２０に粘着材１０７を塗布した。粘着材１０７の塗布後の形状は、厚みのばらつきが多い。これは、粘着材１０７である固形物を被対象物１２０へこすりつけて物理的に付着させているためである。この粘着材１０７で、紙などを貼り合わせると、紙などの表面に粘着材１０７の凹凸ができてしまう。
本願発明では、粘着材を一定の厚みで、被対象物へ塗布する塗布具を実現することを課題とする。
【課題を解決するための手段】
【０００５】
上記課題を解決するために、本体と、前記本体に出し入れ可能に保持された粘着材と、前記本体の誘導部と組み合わせられるガイドと、を有する塗布具であり、前記ガイドは、前記本体と組み合うガイド先端部と、被対象物へ接触されるガイド下部と、前記ガイド先端部と前記ガイド下部とを連結し、伸縮するガイド中継部とからなり、前記ガイド先端部と前記誘導部との位置関係で、前記ガイド下部と前記本体との距離が変化する塗布具を用いる。
【発明の効果】
【０００６】
本願発明の塗布具では、一定の厚みで粘着剤を被対象物へ塗布できる。
【図面の簡単な説明】
【０００７】
【図１】（ａ）実施の形態１の塗布具の斜視図、（ｂ）実施の形態１の塗布具の蓋を取り外した斜視図、（ｃ）実施の形態１の塗布具で被塗布材料へ塗布をしている状態の塗布具の斜視図
【図２】（ａ）実施の形態１の塗布具の下面図、（ｂ）実施の形態１の塗布具での塗布結果を示す断面図
【図３】（ａ）実施の形態１の塗布具のガイドの斜視図、（ｂ）〜（ｄ）実施の形態２塗布具の中継部の形状を示す図、（ｅ）〜（ｆ）実施の形態３の塗布具の下部の形状を表す斜視図、（ｇ）実施の形態２の塗布具のガイドの斜視図
【図４】（ａ）〜（ｂ）実施の形態４の塗布具の下部の図
【図５】実施の形態５のガイド部品を塗布具に付属させた斜視図
【図６】（ａ）従来の塗布具の斜視図、（ｂ）従来の塗布具での塗布結果を示す断面図
【発明を実施するための形態】
【０００８】
（実施の形態１）
図１（ａ）に、実施の形態１の塗布具の斜視図を示す。本体１０１と、蓋１２１とからなる。本体１０１には、内部に固形の粘着材を有する。蓋１２１は、その粘着剤の乾燥を防止するために、本体１０１に組み合わされるものである。
図１（ｂ）、図１（ｃ）に示す塗布具の斜視図で、塗布動作を説明する。
【０００９】
蓋１２１を開けると、図１（ｂ）の状態である。粘着材１０７が、本体１０１から突出している。突出していなければ、突出するように、本体１０１の機構で突出させる。たとえば、回転機構により、粘着材１０７を引き出す。粘着材１０７と本体１０１との間で、ネジ機構が内部に設けられ、相対的に回転させることで、本体１０１から粘着材１０７を出し入れできる。
【００１０】
本体１０１には、ガイド先端部１１０、ガイド中継１０３、ガイド下部１０２とからならガイドを、本体１０１の下部に設けてある。
ガイド先端１１０は、本体１０１内部に設けられた誘導部１０５と組み合わされるところで突起状の部分である。
【００１１】
ガイド下部１０２は、粘着材１０７の厚みばらつきを、被対象物上で平均化、または、レベリング、または、均すものである。
【００１２】
ガイド中継１０３は、ガイド下部１０２とガイド先端１１０とを連結するもので、曲がったりして伸縮する部分である。形状的に変形しやすい構造であれば、棒状のもの、薄いシート状のものでもよい。
【００１３】
ガイド、本体１０１とも樹脂材料からなる。樹脂成形で作製できる。
【００１４】
（動作）
まず、図１（ｂ）の状態から、図１（ｃ）の状態へ力をかけて本体１０１を被対象物１２０へと押さえる。
【００１５】
ガイド下部１０２が、被対象物１２０に当たる。ガイド下部１０２が被対象物１２０から、力を受け、ガイドのガイド先端部１１０が、誘導部１０５に沿って、移動し、ガイド中継部１０３が変形する。本体１０１が下がり、被対象物１２０に粘着材１０７が接触する。
【００１６】
次に、この状態で本体１０１を被対象物１２０上で移動させることで、粘着材１０７が被対象物１２０に塗布される。この時、粘着材１０７が被対象物１２０に塗布された後をガイド下部１０２が通る。結果、粘着材１０７が、ガイド下部１０２で平均化、または、レベリング、または、均される。
【００１７】
図２（ａ）は、図１（ｃ）時の下面の図である。ガイド下部１０２のリング状の輪の内側に粘着材１０７がはいっている。
【００１８】
この状態で、被対象物１２０に粘着材１０７を塗布するので、どの方向へ粘着材１０７を塗布しても、その後をガイド下部１０２が通り、粘着材１０７を平均化する。
【００１９】
図２（ｂ）は、実施の形態１の塗布具による、被対象物１２０への粘着材１０７の塗布結果を示す断面図である。ガイド下部１０２により粘着材１０７が平均化されるので、一定の厚みに粘着材１０７を塗布できる。
【００２０】
（ガイド）
図３（ａ）は、ガイドの斜視図である。ガイドは本体１０１から取り外せる。リング状のガイド下部１０２上に、ガイド中継部１０３が位置する。ガイド中継部１０３の最上部に、ガイド先端部１１０が位置する。ガイド中継部１０３は２つあり、粘着材１０７に対して、点または線対称に設けられている。塗布時にガイド下部１０２の移動が偏らないように均等に設けられている。
【００２１】
ガイド下部１０２は、粘着材１０７の厚みを平均化する部分である。リング状である。円形のリングが好ましいが、四角形でも多角形でもよい。
【００２２】
ガイド中継部１０３は、伸縮し、粘着材１０７を被対象物１２０へ接触させるところである。
【００２３】
ガイド先端部１１０は、本体１０１の誘導部１０５（図１）にはめ込まれ、誘導部１０５内を移動する。ガイド中継部１０３の伸縮に合わせて、移動する。ガイド先端部１１０は、ガイド中継部１０３から、曲げられ、突起状であり、誘導部１０５を溝として、溝の中を突起が移動できるようにしている。
【００２４】
ガイドは、本体１０１と別体で作製され、組み合わされ、使用される。
本体１０１の誘導部１０５は、本体１０１内部に設けていているが、本体１０１の外側面に設けることもできる。
【００２５】
（実施の形態２）
下記に示す構成以外は実施の形態１と同様であり省略する。
【００２６】
図３（ｂ）から図３（ｄ）は、ガイド中継部１０３の形状の例である。
【００２７】
図３（ｂ）では、ガイド中継部１０３がＶ字型である。Ｖ字のＶが広がることで縮じみする。Ｖが狭くなることで伸びる。
【００２８】
図３（ｃ）では、Ｓ字型であり、Ｓ字が変形し、伸び縮じみする。
【００２９】
図３（ｄ）では、ジグザクの形状である。ジグザグ形状が変形し伸び縮じみする。
【００３０】
なお、ガイド中継１０３の伸び縮じみする時に、塗布具のガイド下部１０２が、被対象物１２０上で、少し移動してもよい。被対象物１２０上の粘着材１０７とガイド下部１０２との接触を切りやすい。
【００３１】
ガイド中継部１０３は、曲がったり、縮んだりするなら、構造は問わないが、内側に存在する粘着材１０７と接触すると、粘着材１０７を傷つけるのでよくない。そこで、上記のように、複数の棒状の形状のもので、垂直方向、上下方向、外側面へ伸び縮じみするものがよい。または、複数の棒状でなくとも、薄いシート状で、外側面へ曲がって縮むものでもよい。
【００３２】
図３（ｇ）に示すように、ガイド先端部１１０もリング状にしてもよい。ガイド中継部１０３を単なる棒状のものにしてもよい。
【００３３】
（実施の形態３）
下記に示す構成以外は実施の形態１と同様であり省略する。
【００３４】
図３（ｅ）（ｆ）は、ガイド下部１０２の変形例である。矢印の方向へ粘着材１０７を塗布する。矢印の方向へ粘着材を塗布する。
【００３５】
図３（ｅ）では、ガイド下部１０２が、２本の直線状の棒である。２本の棒にて粘着材１０７の厚みが平均化される。
【００３６】
図３（ｆ）では、その棒の先端にガイド下部先端部１２２がある。ガイド下部先端部１２２は、ガイド下部１０２の棒がおり曲がっている部分である。粘着材１０７の厚みの平均化と、横への広がりを抑える。
【００３７】
なお、各ガイド下部１０２が棒状である場合、塗布方向へ湾曲して、弓形状でもよい。つまり、図３（ａ）のガイド下部１０２において、リング状のものが、その一部が欠けている状態である。
【００３８】
（実施の形態４）
下記に示す構成以外は実施の形態１と同様であり省略する。
【００３９】
図４（ａ）（ｂ）は、ガイド下部１０２の被塗布物１２０と接する部分の変形例である。ガイド下部１０２の拡大図である。
【００４０】
図４（ａ）では、ガイド下部１０２の下面に凹部を１つ有する。図４（ｂ）では、ぎざぎざの凹凸である。この凹部、凹凸により粘着材１０７の厚みのばらつきを平均化する。よって、この凹部、凹凸は、塗布具を進行させる方向に垂直となる方向に設けられる。ぎざぎざの凹凸を、ガイド下部１０２の下面の全体に設けるとよい。
【００４１】
（実施の形態５）
下記に示す構成以外は実施の形態１と同様であり省略する。
【００４２】
図５にガイド部品２００を示す。ガイド部品２００は、リング状のガイド下部１０２、ガイド中継部１０３、ガイド先端部１１０、誘導部１０５を有する。
【００４３】
実施の形態１との違いは、誘導部１０５が本体１０１でなく、ガイドが有するものである。ガイドが１つの部品となり、いろいろな本体１０１に、このガイド部品２００をセットできる。蓋１２１も、ガイド部品２００の内側に設置できる。なお、ガイド部品２００と本体１０１との接続は、あらかじめ、ガイド部品２００に両面テープなどを設けて置き、本体１０１に固定できる。
【００４４】
（共通事項）
なお、上記の実施の形態１〜５は、それぞれ、阻害要因がない限り、組み合わせて用いられる。
【００４５】
なお、固形の粘着材でなく、液状の粘着材の塗布具において、上記ガイドを設けてもよい。液状の粘着材が、ある媒体を介して、被対象物に接触し粘着材を塗布する場合に、その周辺にガイドが存在すればよい。
【産業上の利用可能性】
【００４６】
本願発明の塗布具は、粘着材の塗布だけでなく広く、半固形物の被対象物への塗布ができる。液状の材料の塗布にも利用できる。
【符号の説明】
【００４７】
１０１  本体
１０２  ガイド下部
１０３  ガイド中継部
１０５  誘導部
１０７  粘着材
１１０  ガイド先端部
１２０  被対象物
１２１  蓋
１２２  ガイド下部先端部
２００  ガイド部品
【図１】
2014188674.tif 000003
【図２】
2014188674.tif 000004
【図３】
2014188674.tif 000005
【図４】
2014188674.tif 000006
【図５】
2014188674.tif 000007
【図６】
2014188674.tif 000008
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
本体と、
前記本体に出し入れ可能に保持された粘着材と、
前記本体の誘導部と組み合わせられるガイドと、を有する塗布具であり、
前記ガイドは、前記本体と組み合うガイド先端部と、被対象物へ接触されるガイド下部と、前記ガイド先端部と前記ガイド下部とを連結し、伸縮するガイド中継部とからなり、
前記ガイド先端部と前記誘導部との位置関係で、前記ガイド下部と前記本体との距離が変化する塗布具。
【請求項２】
前記ガイド先端部は、前記本体に設けられた前記誘導部に沿って移動できる請求項１記載の塗布具。
【請求項３】
前記ガイド先端部は、前記ガイド中継部から曲がり、前記ガイド先端部が、前記誘導部と組み合わされる請求項１または２記載の塗布具。
【請求項４】
前記ガイド中継部は、複数あり、複数の前記ガイド中継部は、前記ガイド先端部と前記ガイド下部との間で前記粘着材を中心に均等に設けられている請求項１から３のいずれか１項に記載の塗布具。
【請求項５】
前記ガイド中継部は、複数の棒状であり、その下部が前記ガイド下部と繋がり、その上部が前記ガイド先端部と繋がる請求項１から４のいずれか１項に記載の塗布具。
【請求項６】
前記ガイド中継部は、シート状であり、その下部が前記ガイド下部と繋がり、その上部が前記ガイド先端部と繋がる請求項１から４のいずれか１項に記載の塗布具。
【請求項７】
前記ガイド中継部は、Ｖ字形状であり、その下部が前記ガイド下部と繋がり、その上部が前記ガイド先端部と繋がる請求項１から５のいずれか１項に記載の塗布具。
【請求項８】
前記ガイド中継部は、Ｓ字形状であり、その下部が前記ガイド下部と繋がり、その上部が前記ガイド先端部と繋がる請求項１から５のいずれか１項に記載の塗布具。
【請求項９】
前記ガイド中継部は、ジグザク形状であり、その下部が前記ガイド下部と繋がり、その上部が前記ガイド先端部と繋がる請求項１から５のいずれか１項に記載の塗布具。
【請求項１０】
前記ガイド下部は、リング状である請求項１から９のいずれか１項に記載の塗布具。
【請求項１１】
前記ガイド下部は、棒状体である請求項１から９のいずれか１項に記載の塗布具。
【請求項１２】
前記ガイド下部の底面には、１つの凹部がある請求項１から１１のいずれか１項に記載の塗布具。
【請求項１３】
前記ガイド下部の底面には、凹凸がある請求項１から１１のいずれか１項に記載の塗布具。
【請求項１４】
本体と前記本体に出し入れ可能に保持された粘着材とを含む塗布具に、セットできるガイド部品であって、
前記ガイド部品は、
前記本体に固定される誘導部と
前記誘導部と組み合うガイド先端部と、
前記粘着材の被対象物の塗布面へ接触されるガイド下部と、
前記ガイド先端部と前記ガイド下部とを連結し、伸縮するガイド中継部と、からなり、
前記ガイド先端部と前記誘導部との位置関係で、前記ガイド下部と前記本体との距離が変化するガイド部品。